(57)【特許請求の範囲】
【請求項１】
長手方向に沿って上面に第一の被嵌合部を有し、床に設置される第一のベース材と、
長手方向に沿って上面に第二の被嵌合部を有し、床に設置される第二のベース材であって、前記第一のベース材の長手方向と該第二のベース材の長手方向とが交差する向きに、且つ該第一のベース材の端部が該第二のベース材の端部に近接するように設置される、第二のベース材と、
前記第一のベース材の上に設置される第一の見切材と、
前記第二のベース材の上に設置される第二の見切材と、
前記第一のベース材および前記第二のベース材の上に設置されるコーナー材であって、近接する該第一のベース材の端部および該第二のベース材の端部を覆う基部と、前記第一の被嵌合部および前記第二の被嵌合部の少なくとも何れかに嵌合する嵌合部と、を有するコーナー材と、を備え、
前記嵌合部は、
前記第一のベース材の長手方向における何れの位置においても前記第一の被嵌合部に嵌合可能な第一の嵌合部と、
前記第二のベース材の長手方向における何れの位置においても前記第二の被嵌合部に嵌合可能な第二の嵌合部と、を有し、
前記第一のベース材および前記第二のベース材は、該第一のベース材の端部の一方の側面に、該第二のベース材の端面が面するように設置されることで、該第一の被嵌合部を、該第二の被嵌合部より長く前記コーナー材に対して露出し、
前記第一の嵌合部は、前記第二の嵌合部より長い嵌合領域を有する、
床見切装置。
【請求項２】
前記嵌合部は、前記基部に設けられ、前記第一の被嵌合部および前記第二の被嵌合部のうち、前記第一のベース材の上に設置される第一の見切材および前記第二のベース材の上に設置される第二の見切材の何れにも覆われていない部分に嵌合し、
前記コーナー材は、前記第一の見切材および前記第二の見切材の少なくとも一方の端部を覆うカバー部を更に備え、
前記カバー部は、前記基部に比べて薄肉に形成され、該基部が前記第一のベース材の端部または前記第二のベース材の端部を覆った状態で、前記第一の見切材または前記第二の見切材の上面に接触する、
請求項１に記載の床見切装置。
【請求項３】
長手方向に沿って上面に第一の被嵌合部を有し、床に設置される第一のベース材と、
長手方向に沿って上面に第二の被嵌合部を有し、床に設置される第二のベース材であって、前記第一のベース材の長手方向と該第二のベース材の長手方向とが交差する向きに、且つ該第一のベース材の端部が該第二のベース材の端部に近接するように設置される、第二のベース材と、
前記第一のベース材の上に設置される第一の見切材と、
前記第二のベース材の上に設置される第二の見切材と、
前記第一のベース材および前記第二のベース材の上に設置されるコーナー材であって、近接する該第一のベース材の端部および該第二のベース材の端部を覆う基部と、前記第一の被嵌合部および前記第二の被嵌合部の少なくとも何れかに嵌合する嵌合部と、を有するコーナー材と、を備え、
前記嵌合部は、前記基部に設けられ、前記第一の被嵌合部および前記第二の被嵌合部のうち、前記第一のベース材の上に設置される第一の見切材および前記第二のベース材の上に設置される第二の見切材の何れにも覆われていない部分に嵌合し、
前記コーナー材は、前記第一の見切材および前記第二の見切材の少なくとも一方の端部を覆うカバー部を更に備え、
前記カバー部は、前記基部に比べて薄肉に形成され、該基部が前記第一のベース材の端部または前記第二のベース材の端部を覆った状態で、前記第一の見切材または前記第二の見切材の上面に接触する、
床見切装置。
【請求項４】
第一のベース材および第二のベース材の上に設置される、床見切のコーナー材であって、
前記第一のベース材および前記第二のベース材が、該第一のベース材の長手方向と該第二のベース材の長手方向とが交差する向きに、且つ該第一のベース材の端部が該第二のベース材の端部に近接するように床に設置された状態で、近接する該第一のベース材の端部および該第二のベース材の端部を覆う基部と、
前記第一のベース材の長手方向に沿って上面に設けられた前記第一の被嵌合部、および前記第二のベース材の長手方向に沿って上面に設けられた前記第二の被嵌合部の、少なくとも何れかに嵌合する嵌合部と、を備え、
前記嵌合部は、
前記第一のベース材の長手方向における何れの位置においても前記第一の被嵌合部に嵌合可能な第一の嵌合部と、
前記第二のベース材の長手方向における何れの位置においても前記第二の被嵌合部に嵌合可能な第二の嵌合部と、を有し、
前記第一の嵌合部は、前記第二の嵌合部より長い嵌合領域を有する、
床見切のコーナー材。
【請求項５】
前記嵌合部は、前記基部に設けられ、前記第一の被嵌合部および前記第二の被嵌合部のうち、前記第一のベース材の上に設置される第一の見切材および前記第二のベース材の上に設置される第二の見切材の何れにも覆われていない部分に嵌合し、
前記コーナー材は、前記第一の見切材および前記第二の見切材の少なくとも一方の端部を覆うカバー部を更に備え、
前記カバー部は、前記基部に比べて薄肉に形成され、該基部が前記第一のベース材の端部または前記第二のベース材の端部を覆った状態で、前記第一の見切材または前記第二の見切材の上面に接触する、
請求項４に記載の床見切のコーナー材。
【請求項６】
第一のベース材および第二のベース材の上に設置される、床見切のコーナー材であって、
前記第一のベース材および前記第二のベース材が、該第一のベース材の長手方向と該第二のベース材の長手方向とが交差する向きに、且つ該第一のベース材の端部が該第二のベース材の端部に近接するように床に設置された状態で、近接する該第一のベース材の端部および該第二のベース材の端部を覆う基部と、
前記第一のベース材の長手方向に沿って上面に設けられた前記第一の被嵌合部、および前記第二のベース材の長手方向に沿って上面に設けられた前記第二の被嵌合部の、少なくとも何れかに嵌合する嵌合部と、を備え、
前記嵌合部は、前記基部に設けられ、前記第一の被嵌合部および前記第二の被嵌合部のうち、前記第一のベース材の上に設置される第一の見切材および前記第二のベース材の上に設置される第二の見切材の何れにも覆われていない部分に嵌合し、
前記第一の見切材および前記第二の見切材の少なくとも一方の端部を覆うカバー部を更に備え、
前記カバー部は、前記基部に比べて薄肉に形成され、該基部が前記第一のベース材の端部および前記第二のベース材の端部を覆った状態で、前記第一の見切材および前記第二の見切材の上面に接触する、
床見切のコーナー材。
【発明の詳細な説明】
【技術分野】
【０００１】
本開示は、床見切のための技術に関する。
【背景技術】
【０００２】
従来、土台部と、土台部の長手方向に沿って長さを有し、土台部の上側に装着される見切り材と、見切り材の土台部側に設けられ、見切り材の長手方向断面視にて凹及び凸の一方の形状とされた被係合部と、土台部の見切り材側に設けられ、長手方向断面視にて凹及び凸の他方の形状とされ、被係合部に係合することで見切り材の長手方向の移動を規制する係合部と、を備える床見切りが提案されている（特許文献１を参照）。
【先行技術文献】
【特許文献】
【０００３】
【特許文献１】特開２０１４−１４５１６９号公報
【発明の概要】
【発明が解決しようとする課題】
【０００４】
従来、床見切の施工においては、専門工具や接着剤等の資材が必要となり、また、施工技術によって見栄えの優劣が生じる。ここで、床にベース材を固定し、固定されたベース材に見切材を嵌合させることで設置される床見切装置が存在する（例えば、特許文献１を参照）。
【０００５】
しかし、このような床見切装置においても、コーナー部分においては、ベース材および見切材を斜めに切断し、切断面同士を合わせる作業を行う必要があり（例えば、特許文献１の図７等を参照）、このために専門工具等の資材が必要となり、また、施工技術によって見栄えおよび出来栄えの優劣が生じることとなる。
【０００６】
上記した問題に鑑み、本開示にかかる技術は、コーナーを有する見切を、簡便な施工作業によって設置可能とすることを課題とする。
【課題を解決するための手段】
【０００７】
本開示の一つの側面は、長手方向に沿って上面に第一の被嵌合部を有し、床に設置される第一のベース材と、長手方向に沿って上面に第二の被嵌合部を有し、床に設置される第二のベース材であって、前記第一のベース材の長手方向と該第二のベース材の長手方向とが交差する向きに、且つ該第一のベース材の端部が該第二のベース材の端部に近接するように設置される、第二のベース材と、前記第一のベース材の上に設置される第一の見切材と、前記第二のベース材の上に設置される第二の見切材と、前記第一のベース材および前記第二のベース材の上に設置されるコーナー材であって、近接する該第一のベース材の端部および該第二のベース材の端部を覆う基部と、前記第一の被嵌合部および前記第二の被嵌合部の少なくとも何れかに嵌合する嵌合部と、を有するコーナー材と、を備える床見切装置である。
【０００８】
ここで、前記嵌合部は、前記第一のベース材の長手方向または前記第二のベース材の長手方向における何れの位置においても、前記第一の被嵌合部または前記第二の被嵌合部に嵌合可能であってもよい。
【０００９】
また、前記嵌合部は、前記第一のベース材の長手方向における何れの位置においても前記第一の被嵌合部に嵌合可能な第一の嵌合部と、前記第二のベース材の長手方向における何れの位置においても前記第二の被嵌合部に嵌合可能な第二の嵌合部と、を有してもよい。
【００１０】
また、前記第一のベース材および前記第二のベース材は、該第一のベース材の端部の一方の側面に、該第二のベース材の端面が面するように設置されることで、該第一の被嵌合部を、該第二の被嵌合部より長く前記コーナー材に対して露出し、前記第一の嵌合部は、前記第二の嵌合部より長い嵌合領域を有してもよい。
【００１１】
なお、本開示は、第一のベース材および第二のベース材の上に設置される、床見切のコーナー材であって、前記第一のベース材および前記第二のベース材が、該第一のベース材の長手方向と該第二のベース材の長手方向とが交差する向きに、且つ該第一のベース材の端部が該第二のベース材の端部に近接するように床に設置された状態で、近接する該第一のベース材の端部および該第二のベース材の端部を覆う基部と、前記第一のベース材の長手方向に沿って上面に設けられた前記第一の被嵌合部、および前記第二のベース材の長手方向に沿って上面に設けられた前記第二の被嵌合部の、少なくとも何れかに嵌合する嵌合部と、を備える、床見切のコーナー材として把握することが可能である。
【００１２】
ここで、前記第一の嵌合部と前記第二の嵌合部とは、前記第一のベース材の長手方向と前記第二のベース材の長手方向とが成す角度と同一の角度を成してもよい。
【００１３】
また、前記第一の被嵌合部は、前記第一のベース材の長手方向に沿って設けられ、該長手方向に直交する方向に形成された凸部である第一の被係合部を更に有し、前記第二の被嵌合部は、前記第二のベース材の長手方向に沿って設けられ、該長手方向に直交する方向に形成された凸部である第二の被係合部を更に有し、前記嵌合部は、前記嵌合の際に、該嵌合部または前記被嵌合部が弾性変形することで前記被係合部を乗り越える凸部である係合部を更に有してもよい。
【００１４】
また、前記嵌合部は、前記基部に設けられ、前記第一の被嵌合部および前記第二の被嵌合部のうち、前記第一のベース材の上に設置される第一の見切材および前記第二のベース材の上に設置される第二の見切材の何れにも覆われていない部分に嵌合してもよい。
【００１５】
また、前記コーナー材は、前記第一の見切材および前記第二の見切材の少なくとも一方の端部を覆うカバー部を更に備えてもよい。
【００１６】
また、前記カバー部は、前記基部に比べて薄肉に形成され、該基部が前記第一のベース材の端部および前記第二のベース材の端部を覆った状態で、前記第一の見切材および前記第二の見切材の上面に接触してもよい。
【００１７】
また、前記コーナー材は、前記第一のベース材または前記第二のベース材の側面に近接して設置される床材の端部を隠す庇部を更に備えてもよい。
【発明の効果】
【００１８】
本開示に係る技術によれば、コーナーを有する見切を、簡便な施工作業によって設置可能とすることが可能となる。
【図面の簡単な説明】
【００１９】
【図１】第一の実施形態に係る床見切装置のコーナー部分を示す平面図である。
【図２】第一の実施形態に係る床見切装置および床材の側面図である。
【図３】第一の実施形態に係るコーナー材を表側から見た斜視図である。
【図４】第一の実施形態に係るコーナー材を裏側から見た斜視図である。
【図５】第二の実施形態に係る床見切装置のコーナー部分を示す平面図である。
【図６】第二の実施形態に係る床見切装置および床材の側面図である。
【図７】第二の実施形態に係るコーナー材を表側から見た斜視図である。
【図８】第二の実施形態に係るコーナー材を裏側から見た斜視図である。
【図９】第三の実施形態に係る床見切装置のコーナー部分を示す平面図である。
【図１０】第三の実施形態に係る床見切装置および床材の側面図である。
【図１１】第三の実施形態に係るコーナー材を表側から見た斜視図である。
【図１２】第三の実施形態に係るコーナー材を裏側から見た斜視図である。
【発明を実施するための形態】
【００２０】
以下、本開示に係る床見切装置およびコーナー材の実施の形態を、図面に基づいて説明する。但し、以下に説明する実施の形態は、実施形態を例示するものであって、本開示に係る床見切装置およびコーナー材を以下に説明する具体的構成に限定するものではない。実施にあたっては、実施形態に応じた具体的構成が適宜採用され、また、種々の改良や変形が行われてよい。
【００２１】
＜第一の実施形態＞
図１は、本実施形態に係る床見切装置１のコーナー部分を示す平面図である。また、図２は、本実施形態に係る床見切装置１および床材９Ａ、９Ｂを、図１の破線矢印Ｓ方向から見た側面図である。本実施形態に係る床見切装置１は、１のコーナーにおいて、ベース材２Ａ、ベース材２Ｂ、見切材３Ａ、見切材３Ｂおよびコーナー材４を備える。床見切装置１の各部材は、例えば樹脂製の素材で成型されてよいが、その他の素材が用いられてもよい。なお、図１は、上述の通り、床見切装置１における１のコーナーを図示したものであり、床見切装置１全体において用いられる各部材の数は、床見切の形状によって異なる。
【００２２】
また、本実施形態に係る床見切装置１は、床の見切の作成に用いられ、異なる床材（例えば、畳９Ａとフローリング９Ｂ）の間に設置されてよい。但し、本実施形態に係る装置は、床の見切として用いられればよく、同種の床材同士の間に用いられてもよい。また、本実施形態に係る床見切装置１によれば、ベース材２Ａ、２Ｂの両側に同じ厚さを有する床材を配置することで、見切の両側における床の高さを異ならせることなく、床見切を設置することが出来る。
【００２３】
ベース材２Ａ、２Ｂは、長手方向の何れの箇所においても、長手方向に直交する断面が略同一の形状を有する部材であり、所望の長さに切断して用いられる。ベース材２Ａ、２Ｂは、上面に被嵌合部２１を有する。本実施形態において、被嵌合部２１は、ベース材２Ａ、２Ｂの長手方向に沿って設けられた、ベース材２Ａ、２Ｂ上面が開口する溝である。
【００２４】
また、被嵌合部２１は、ベース材２Ａ、２Ｂの長手方向に沿って設けられ、当該長手方向に直交する方向に形成された凸部である被係合部２２を有する。本実施形態において、被係合部２２は、ベース材２Ａ、２Ｂの長手方向に沿って、被嵌合部２１（溝）の両方の内側面に設けられた突条である。但し、被係合部２２の具体的な形状は、突条に限定されない。例えば、被係合部２２は、ベース材２Ａ、２Ｂの長手方向に沿って、被嵌合部２１（溝）の両方の内側面に所定の間隔で設けられた突起であってもよい。
【００２５】
また、ベース材２Ａ、２Ｂは、ベース材２Ａの長手方向とベース材２Ｂの長手方向とが交差する向きに、且つベース材２Ａの端部がベース材２Ｂの端部に近接するように、床に設置される。ベース材２Ａ、２Ｂは、被嵌合部２１を形成するための溝の底部分にビスを貫通させて床にビス止めする方法や、ベース材２Ａ、２Ｂの底部と床とを接着剤を用いて接着する方法等を用いて、床に固定される。但し、ベース材２Ａ、２Ｂを床に固定するために採用される手段は限定されない。なお、本実施形態では、ベース材２Ａの長手方向とベース材２Ｂの長手方向とが９０度の角度を成すように設置されるが、ベース材２Ａの長手方向とベース材２Ｂの長手方向とが成す角度は、本実施形態において示す例に限定されない。
【００２６】
また、ベース材２Ａ、２Ｂは、ベース材２Ａの端部の一方の側面２８Ａに、ベース材２Ｂの端面２９Ｂが面するように設置され、ベース材２Ａの被嵌合部２１は、ベース材２Ｂの被嵌合部２１より長くコーナー材４に対して露出する。ここで、本実施形態に係る床見切装置１では、ベース材２Ａとベース材２Ｂとの位置関係に係る施工誤差が、従来の床見切に比べてより大きく許容される。このことについては、コーナー材４の説明において後述する。
【００２７】
見切材３Ａ、３Ｂ（蓋材）は、ベース材２Ａ、２Ｂと同様、長手方向の何れの箇所においても、長手方向に直交する断面が略同一の形状を有する部材であり、所望の長さに切断して用いられる。見切材３Ａ、３Ｂは、床に固定されたベース材２Ａ、２Ｂの上に、ベース材２Ａ、２Ｂに対して着脱可能に設置される部材であり、ベース材２Ａ、２Ｂの被嵌合部２１に嵌合する嵌合部３１を有する。
【００２８】
ここで、嵌合部３１は、嵌合の際に、嵌合部３１または被嵌合部２１が弾性変形することで被係合部２２を乗り越える凸部である係合部３２を有する。本実施形態において、係合部３２は、当該係合部３２を含む嵌合部３１が嵌合するベース材２Ａ、２Ｂの長手方向に沿うように設けられた突条である。図２は、嵌合部３１が被嵌合部２１に嵌合し、係合部３２が被係合部２２に係合した様子を示す。但し、係合部３２の具体的な形状は、突条に限定されない。例えば、係合部３２は、見切材３Ａ、３Ｂの長手方向に沿って所定の間隔で設けられた突起であってもよい。
【００２９】
また、見切材３Ａ、３Ｂは、当該見切材３Ａ、３Ｂが設置されるベース材２Ａ、２Ｂの側面に近接して設置される床材９Ａ、９Ｂの端部を隠す庇部３４（ひさし部）を有する。本実施形態に係る見切材３Ａ、３Ｂは、両側面に庇部３４を有しているため、Ｔ字状の断面を有する。この庇部３４が存在することによって、床材９Ａ、９Ｂの端部を隠すことが出来、床材９Ａ、９Ｂとベース材２Ａ、２Ｂとの間に生じる隙間の施工誤差を吸収することが出来る。
【００３０】
図３は、本実施形態に係るコーナー材４を表側から見た斜視図である。また、図４は、本実施形態に係るコーナー材４を裏側から見た斜視図である。コーナー材４は、ベース材２Ａ、２Ｂの上に、ベース材２Ａ、２Ｂに対して着脱可能に設置される部材であり、基部４０と、嵌合部４１Ａと、嵌合部４１Ｂと、カバー部４３と、庇部４４（ひさし部）と、を備える。
【００３１】
基部４０は、近接するベース材２Ａの端部およびベース材２Ｂの端部を覆う部分である。また、基部４０の底面には、ベース材２Ａの端部およびベース材２Ｂの端部を覆った状態でベース材２Ａの被嵌合部２１に対応する位置に嵌合部４１Ａが立設され、ベース材２Ｂの被嵌合部２１に対応する位置に嵌合部４１Ｂが立設されている。ここで、嵌合部４１Ａは、平面視において、嵌合部４１Ｂに対して、ベース材２Ａの長手方向とベース材２Ｂの長手方向とが成す角度と同一の角度を成すように立設される。
【００３２】
なお、本実施形態では、ベース材２Ａの長手方向とベース材２Ｂの長手方向とが９０度の角度を成すように設置される例について説明しており、嵌合部４１Ａと嵌合部４１Ｂとは９０度の角度を成すように立設されているが、嵌合部４１Ａと嵌合部４１Ｂとが成す角度は、９０度に限定されない。基部４０において嵌合部４１Ａと嵌合部４１Ｂとが成す角度をその他の角度とすることで、コーナーが９０度ではない床見切についても、容易に設置することが可能となる。
【００３３】
嵌合部４１Ａ、４１Ｂは、ベース材２Ａの被嵌合部２１およびベース材２Ｂの被嵌合部２１のうち、見切材３Ａおよび見切材３Ｂの何れにも覆われていない部分に嵌合する。嵌合部４１Ａ、４１Ｂは、嵌合の際に、嵌合部４１Ａ、４１Ｂまたは被嵌合部２１が弾性変形することで被係合部２２を乗り越える凸部である係合部４２を有する。本実施形態における、コーナー材４の嵌合部４１Ａ、４１Ｂが被嵌合部２１に嵌合し、係合部４２が被係合部２２に係合した様子は、図２に示した、嵌合部３１が被嵌合部２１に嵌合し、係合部３２が被係合部２２に係合した様子と概略同様であるため、図示を省略する。
【００３４】
本実施形態において、係合部４２は、当該係合部４２を含む嵌合部４１Ａ、４１Ｂが嵌合するベース材２Ａ、２Ｂの長手方向に沿うように設けられた突条である。但し、係合部４２の具体的な形状は、突条に限定されない。例えば、係合部４２は、当該係合部４２を含む嵌合部４１Ａ、４１Ｂが嵌合するベース材２Ａ、２Ｂの長手方向に沿うように所定の間隔で設けられた突起であってもよい。
【００３５】
このような形状を有しているため、嵌合部４１Ａは、ベース材２Ａの長手方向における何れの位置においてもベース材２Ａの被嵌合部２１に嵌合可能であり、また、嵌合部４１Ｂは、ベース材２Ｂの長手方向における何れの位置においてもベース材２Ｂの被嵌合部２１に嵌合可能である。
【００３６】
このため、本実施形態に係る床見切装置１では、ベース材２Ａとベース材２Ｂとの位置関係に係る施工誤差が、従来の床見切に比べてより大きく許容される。即ち、ベース材２Ａとベース材２Ｂとの位置関係がずれた場合であっても、コーナー材４が上記のような構成を有していることによって問題なく嵌合可能であり、また、コーナー材４によってベース材２Ａ、２Ｂの端部が隠れるため、外から施工のズレを視認されることがなく、優れた外観の施工を容易に行うことが出来る。
【００３７】
また、嵌合部４１Ａ、４１Ｂは、互いに、他方の嵌合部が嵌合するベース材２Ａ、２Ｂと干渉しない位置に、間隔を開けて設けられる。即ち、嵌合部４１Ａと嵌合部４１Ｂとは、同一の基部４０に立設されているのみであり、直接繋がってはいない。このため、本実施形態に係る床見切装置１によれば、ベース材２Ａ、２Ｂを斜めに切断してコーナーを形成する等の作業を行うことなく、ベース材２Ａの端部とベース材２Ｂの端部とが近接するように設置し、コーナー材４を嵌合させるのみで、外観の優れた床見切のコーナーを施工することが出来る。また、嵌合部４１Ａ、４１Ｂがこのように配置されることによって、ベース材２Ａとベース材２Ｂとを間隔を開けて設置することが出来る（図１を参照）。ベース材２Ａとベース材２Ｂとが間隔を開けて設置されることで、施工後の環境変化によって生じ得るベース材２Ａ、２Ｂの伸縮を吸収することが出来る。
【００３８】
また、本実施形態において、嵌合部４１Ａは、嵌合部４１Ｂより長い嵌合領域を有する。上述の通り、本実施形態では、ベース材２Ａ、２Ｂは、ベース材２Ａの端部の一方の側面２８Ａに、ベース材２Ｂの端面２９Ｂが面するように設置され、ベース材２Ａの被嵌合部２１は、ベース材２Ｂの被嵌合部２１より長くコーナー材４に対して露出する。このため、ベース材２Ａの被嵌合部２１には、より長い嵌合部４１Ａが嵌合し、十分な強度を確保することが出来る。
【００３９】
カバー部４３は、見切材３Ａ、３Ｂの端部を覆う。このため、本実施形態によれば、見切材３Ａ、３Ｂの長さについても、施工誤差を吸収することが可能である。また、カバー部４３が見切材３Ａ、３Ｂの端部を覆うことで、施工後の環境変化によって生じ得る見切材３Ａ、３Ｂの伸縮を吸収することが出来る。
【００４０】
また、本実施形態において、カバー部４３は、基部４０に比べて薄肉に形成され、基部４０がベース材２Ａの端部およびベース材２Ｂの端部を覆った状態で、見切材３Ａ、３Ｂの上面に接触する。このため、見切材３Ａ、３Ｂの上にカバー部４３が被せられた場合にも、床材９Ａ、９Ｂの上面（即ち、床面）からコーナー材４の上面までの高さは、「見切材の床面からの高さ＋薄肉部の厚さ」となり、床における段差を低く抑えることが出来る。通路や室内におけるバリアフリー性を満たすために、床材９Ａ、９Ｂの上面からコーナー材４の上面までの高さは、３．０ｍｍ以下に抑えられることが好ましい。但し、本実施形態では、カバー部４３が基部４０に比べて薄肉に形成される例について説明したが、カバー部４３は、基部４０と同様の厚さに形成されてもよい。
【００４１】
また、従来の床見切のコーナーでは、切断された見切材３Ａ、３Ｂの合わせ部分（継ぎ目部分）等に、ストッキング等の物が引っかかることがあったが、本実施形態に係る床見切装置１では、カバー部４３が見切材３Ａ、３Ｂを覆う構造であるため、コーナー材４と見切材３Ａ、３Ｂとの間に合わせ部分（継ぎ目部分）が生じない。このため、本実施形態に係る床見切装置１によれば、コーナー材４のカバー部４３の縁を面取り形状とするのみで、ストッキング等の物が引っかかることを防止することが出来る。
【００４２】
庇部４４は、ベース材２Ａまたはベース材２Ｂの側面に近接して設置される床材９Ａ、９Ｂの端部を隠す。本実施形態に係るコーナー材４は、庇部４４を有しているため、Ｔ字状の断面を有する。この庇部４４が存在することによって、床材９Ａ、９Ｂの端部を隠すことが出来、床材９Ａ、９Ｂとベース材２Ａ、２Ｂとの間に生じる隙間の施工誤差を吸収することが出来る。また、庇部４４が床材９Ａ、９Ｂの端部を覆うことで、施工後の環境変化によって生じ得る床材９Ａ、９Ｂの伸縮を吸収することが出来る。
【００４３】
次に、上で説明した床見切装置およびコーナー材のバリエーションを説明する。なお、以下の説明において、上で説明した床見切装置およびコーナー材と同様の構成については、同一の符号を付し、説明を省略する。
【００４４】
＜第二の実施形態＞
図５は、本実施形態に係る床見切装置１ｂのコーナー部分を示す平面図である。また、図６は、本実施形態に係る床見切装置１ｂおよび床材９Ａ、９Ｂを、図５の破線矢印Ｓｂ方向から見た側面図である。本実施形態に係る床見切装置１ｂは、第一の実施形態において説明した床見切装置１と同様、１のコーナーにおいて、ベース材２Ａ、ベース材２Ｂ、見切材３Ａｂ、見切材３Ｂｂおよびコーナー材４ｂを備える。
【００４５】
図７は、本実施形態に係るコーナー材４ｂを表側から見た斜視図である。また、図８は、本実施形態に係るコーナー材４ｂを裏側から見た斜視図である。コーナー材４ｂは、基部４０と、嵌合部４１Ａと、嵌合部４１Ｂと、カバー部４３と、庇部４４と、を備える。
【００４６】
図示の通り、本実施形態に係る床見切装置１ｂは、第一の実施形態において説明した床見切装置１と多くの箇所において同様であるが、本実施形態に係る床見切装置１ｂの見切材３Ａｂ、３Ｂｂおよびコーナー材４ｂは、床材の端部を隠す庇部３４および庇部４４を、一方の側面にのみ有する。庇部３４、４４が存在しない側面については、床材の端部を隠すことが出来ないが、例えば、床材９Ａが畳である場合等、床材の種類や意匠によっては、設置者が床材の縁を露出させることを所望する場合があり、本実施形態に係る床見切装置１ｂによれば、設置者の嗜好に合わせてその端部を隠さないようにすることが出来る。
【００４７】
＜第三の実施形態＞
図９は、本実施形態に係る床見切装置１ｃのコーナー部分を示す平面図である。また、図１０は、本実施形態に係る床見切装置１ｃおよび床材９Ａ、９Ｂを、図９の破線矢印Ｓｃ方向から見た側面図である。本実施形態に係る床見切装置１ｃは、第二の実施形態において説明した床見切装置１ｂと同様、１のコーナーにおいて、ベース材２Ａ、ベース材２Ｂ、見切材３Ａｂ、見切材３Ｂｂおよびコーナー材４ｃを備える。
【００４８】
図１１は、本実施形態に係るコーナー材４ｃを表側から見た斜視図である。また、図１２は、本実施形態に係るコーナー材４ｃを裏側から見た斜視図である。コーナー材４ｃは、基部４０と、嵌合部４１Ａと、嵌合部４１Ｂと、庇部４４と、を備える。
【００４９】
図示の通り、本実施形態に係る床見切装置１ｃは、第二の実施形態において説明した床見切装置１ｂと多くの箇所において同様であるが、本実施形態に係る床見切装置１ｃのコーナー材４ｃは、カバー部４３を有していない。このため、本実施形態に係る床見切装置１ｃを設置する場合には、コーナー材４ｃと見切材３Ａｂ、３Ｂｂとの端面を合わせる必要が生じるが、本実施形態に係る床見切装置１ｃによっても、ベース材２Ａ、２Ｂの施工誤差については吸収可能であり、ベース材および見切材を斜めに切断して切断面同士を合わせる作業を行う必要があった従来の床見切に比べて、簡便な施工作業によって設置することが出来る。
【００５０】
＜その他のバリエーション＞
また、上記説明した床見切装置およびコーナー材には、本開示に係る発明を実施する場合の例を示すものであり、実施にあたっては、実施形態に応じた具体的構成が適宜採用され、また、種々の改良や変形が行われてよい。例えば、本実施形態では、コーナー材に、２つのベース材の双方に嵌合するための２つの嵌合部を設ける例について説明したが、コーナー材には、何れか一方のベース材に嵌合する１の嵌合部が設けられていればよい。
【００５１】
＜効果＞
従来、床見切を整合性が高い外観で設置するためには、施工誤差が可能な限り生じないように、施工現場で採寸してベース材および見切材を切断し、切断面同士を合わせる作業が行われていた。これに対して、上記実施形態に開示された床見切装置およびコーナー材によれば、誤差をコーナー材によって吸収可能であるため、ベース材および見切材を予め工場で切断してから施工現場に運び、施工現場では切断作業等を行うことなく、容易に整合性が高い外観で設置を行うことが出来る。また、施工現場での切断作業が発生しないため、施工現場で発生するゴミの量を減らすことも出来る。
【００５２】
また、上記実施形態に係る床見切装置によれば、見切材およびコーナー材が庇部を有しているため、ベース材の歪み（設置角度や蛇行等）や、床材の寸法誤差についても、吸収可能である。更に、上記実施形態に係る床見切装置によれば、施工後の環境変化によって生じ得る、ベース材、見切材および床材等の伸縮についても、吸収可能である。
【符号の説明】
【００５３】
１  床見切装置
２Ａ、２Ｂ  ベース材
２１  被嵌合部
２２  被係合部
３Ａ、３Ｂ  見切材
３１  嵌合部
３２  係合部
３４  庇部
４  コーナー材
４０  基部
４１Ａ、４１Ｂ  嵌合部
４２  係合部
４３  カバー部
４４  庇部
【図１】
0006541990.tif 000002
【図２】
0006541990.tif 000003
【図３】
0006541990.tif 000004
【図４】
0006541990.tif 000005
【図５】
0006541990.tif 000006
【図６】
0006541990.tif 000007
【図７】
0006541990.tif 000008
【図８】
0006541990.tif 000009
【図９】
0006541990.tif 000010
【図１０】
0006541990.tif 000011
【図１１】
0006541990.tif 000012
【図１２】
0006541990.tif 000013